(57)【要約】【課題】録画番組等を記録メディアに記録する前に、レーベル印刷をユーザに意識させることができ、記録メディアに対する録画番組の記録及びレーベル印刷を適切且つ確実に行うことができる技術の実現。【解決手段】マルチメディアデータを記録メディアに記録する記録手段と、前記記録メディアへのマルチメディアデータの記録を開始する前に、前記記録メディアの印刷面への印刷に関わる表示画面を表示装置に表示させる表示制御手段と、複数のマルチメディアデータを記憶可能な記憶媒体と、前記記憶媒体に記憶されている複数のマルチメディアデータから、前記記録メディアに記録すべきマルチメディアデータを選択する選択手段と、を有し、前記表示制御手段は、前記選択手段で選択されたマルチメディアデータを前記記録媒体から前記記録メディアにコピー記録する前に、印刷に関わる表示画面を前記表示装置に表示させる。【選択図】図４
2008010043.tif 000002
【特許請求の範囲】
【請求項１】
マルチメディアデータを記録メディアに記録する記録手段と、
前記記録メディアへのマルチメディアデータの記録を開始する前に、前記記録メディアの印刷面への印刷に関わる表示画面を表示装置に表示させる表示制御手段と、を有することを特徴する記録装置。
【請求項２】
複数のマルチメディアデータを記憶可能な記憶媒体と、
前記記憶媒体に記憶されている複数のマルチメディアデータから、前記記録メディアに記録すべきマルチメディアデータを選択する選択手段と、を有し、
前記表示制御手段は、前記選択手段で選択されたマルチメディアデータを前記記録媒体から前記記録メディアにコピー記録する前に、印刷に関わる表示画面を前記表示装置に表示させることを特徴とする請求項１に記載の記録装置。
【請求項３】
前記表示画面は、前記印刷面への印刷を促す画面、または、前記印刷面への印刷がなされていない場合に表示する画面、または、前記印刷面の印刷状態でマルチメディアデータの記録を実行させる為の画面、前記印刷面への印刷が完了している場合に前記マルチメディアデータの記録を実行させるための画面のうちいずれかを示すことを特徴とする請求項１に記載の記録装置。
【請求項４】
前記表示制御手段は、前記表示画面を、前記記録装置がプリンタと接続されている場合に表示させることを特徴とする請求項１に記載の記録装置。
【請求項５】
前記表示制御手段は、前記マルチメディアデータのコピー回数に制限がある場合に、前記表示画面を表示させることを特徴とする請求項１に記載の記録装置。
【請求項６】
前記印刷面には、前記記録メディアに記録されるマルチメディアデータに対応する情報が印刷されることを特徴とする請求項１に記載の記録装置。
【請求項７】
前記印刷面に印刷されるマルチメディアデータに対応する情報とは、日時に関する情報、前記マルチメディアデータから抽出した画像、タイトルのいずれかを含むことを特徴とする請求項６に記載の記録装置。
【請求項８】
さらに、マルチメディアデータに対応する情報の印刷履歴を判断する判断手段を有し、
前記判断手段が、前記印刷履歴により記録対象のマルチメディアデータに対応する前記情報の印刷がなされていることを判断すると、前記記録手段により前記マルチメディアデータを記録メディアに記録することを特徴とする請求項１に記載の記録装置。
【請求項９】
マルチメディアデータを記録メディアに記録する記録装置の制御方法であって、
前記記録メディアへのマルチメディアデータの記録を開始する前に、前記記録メディアの印刷面への印刷に関わる表示画面を表示装置に表示させる表示制御工程を有することを特徴する制御方法。
【請求項１０】
記憶媒体に記憶されている複数のマルチメディアデータから、前記記録メディアに記録すべきマルチメディアデータを選択する選択工程を有し、
前記表示制御工程は、前記選択工程で選択されたマルチメディアデータを前記記録媒体から前記記録メディアにコピー記録する前に、前記印刷面への印刷に関わる表示画面を前記表示装置に表示させることを特徴とする請求項９に記載の制御方法。
【請求項１１】
前記表示画面は、前記印刷面への印刷を促す画面、または、前記印刷面への印刷がなされていない場合に表示する画面、または、前記印刷面の印刷状態でマルチメディアデータの記録を実行させる為の画面、前記印刷面への印刷が完了している場合に前記マルチメディアデータの記録を実行させるための画面のうちいずれかを示すことを特徴とする請求項９に記載の制御方法。
【請求項１２】
前記表示制御工程は、前記表示画面を、前記記録装置がプリンタと接続されている場合に表示させることを特徴とする請求項９に記載の制御方法。
【請求項１３】
前記表示制御工程は、前記マルチメディアデータのコピー回数に制限がある場合に、前記表示画面を表示させることを特徴とする請求項９に記載の制御方法。
【請求項１４】
前記印刷面には、前記記録メディアに記録されるマルチメディアデータに対応する情報が印刷されることを特徴とする請求項９に記載の制御方法。
【請求項１５】
前記印刷面に印刷されるマルチメディアデータに対応する情報とは、日時に関する情報、前記マルチメディアデータから抽出した画像、タイトルのいずれかを含むことを特徴とする請求項１４に記載の制御方法。
【請求項１６】
さらに、マルチメディアデータに対応する情報の印刷履歴を判断する判断工程と、
前記判断工程において、前記印刷履歴により記録対象のマルチメディアデータに対応する前記情報の印刷がなされていることを判断すると、前記マルチメディアデータを記録メディアに記録する記録工程と、を有することを特徴とする請求項９に記載の制御方法。
【請求項１７】
請求項９に記載の制御方法をコンピュータに実行させるためのプログラム。
【請求項１８】
請求項１７に記載のプログラムを記憶したことを特徴とするコンピュータ可読記憶媒体。
【発明の詳細な説明】
【技術分野】
【０００１】
本発明は、録画番組等のマルチメディアデータを記録メディアに記録する際のユーザインタフェース技術に関する。
【背景技術】
【０００２】
従来より、ハードディスクドライブ（ＨＤＤ(Hard Disk Drive)）とＤＶＤ(Digital Versatile Disk)ドライブとを備えＨＤ−ＤＶＤビデオレコーダが知られている。このＨＤ−ＤＶＤビデオレコーダは、チューナにより受信した放送番組等を一旦ＨＤＤに録画し、必要に応じてＨＤＤに録画された放送番組をＤＶＤにコピーして記録する。最近ではＤＲＭ(Digital Rights Management)やCopy Once等の技術によって放送番組の著作権保護の意識が高まっており、著作権保護の観点からＤＶＤに記録する番組内容や回数等に制限が加えられている。特にコピーワンスと呼ばれる記録回数の制限は、放送番組を一旦ＨＤＤ等の記録媒体に記録後、他の記録メディアに対して一回のみコピーデータを記録することができるものとして広まっている。
【０００３】
一方、最近のプリンタはＤＶＤやＣＤ−Ｒの印刷用ラベル面に画像や文字の情報を印刷するレーベル印刷機能を備えている。この機能を利用することで、任意の文字列や画像をＤＶＤにレーベル印刷することが可能となっている（例えば、特許文献１参照）。
【０００４】
図１０は従来の番組録画機能付きのパーソナルコンピュータによる放送番組の録画、再生、記録、レーベル印刷の各処理を示すフローチャートである。
【０００５】
図１０において、リモコン等の操作手段によるユーザの操作指示に従い、「１：録画」、「２：再生」、「３：保存」、「４：レーベル印刷」のいずれかの処理を実行する（Ｓ７００１）。
【０００６】
「１：録画」は放送番組等をＨＤＤに保存する動作である。「１：録画」が選択された場合にはＳ７１０１の録画モジュールが起動し、Ｓ７１０２で番組録画を行うと共に、録画番組の再生、記録、印刷処理時において録画番組を識別するための番組ＩＤを対応付けてＨＤＤに保存する。録画が終了するとＳ７００１に戻る。
【０００７】
「２：再生」はＨＤＤに録画した番組をＴＶ等に再生する動作であり、「２：再生」が選択された場合にはＳ７２０１の再生モジュールが起動して録画番組の再生を行い、再生が終了するとＳ７００１に戻る。
【０００８】
「３：記録」はＨＤＤに録画した１以上の番組から任意の番組を選択しＤＶＤ等の記録メディアに記録する動作であり、「３：記録」の機能は、ＤＶＤへのデータ記録アプリケーションソフトウェアを起動することでスタートする。ユーザが種々の操作を行い記録指示を行うと、記録モジュールが起動し（Ｓ７３０１）、記録メディアへの記録を行い（Ｓ７３０９）、終了するとＳ７００１に戻る。この時、著作権保護（例えばコピーワンス機能による）された番組を記録した場合、無制限に複製が行われるのを防止するためにＨＤＤ内に保存された番組を消去することも行われる。
【０００９】
「４：レーベル印刷」はＤＶＤのレーベル印刷を行う動作である。「４：レーベル印刷」の機能は、レーベル印刷用のアプリケーションソフトウェアを起動することでスタートする。ユーザが種々の操作を行いプリント指示を行うと、印刷モジュールが起動し（Ｓ７４０１）、プリンタに対してＤＶＤのレーベル印刷指示コマンドが出力され、プリンタによりレーベル印刷が終了するとＳ７００１に戻る。
【特許文献１】特開２００５−１６１８６７号公報
【発明の開示】
【発明が解決しようとする課題】
【００１０】
上述したように、従来におけるＤＶＤに対する録画番組の記録とレーベル印刷とは互いに独立した動作として取り扱われ、互いに連動した動作としては取り扱われていなかった。ところが、実際の使用環境ではＤＶＤのレーベル印刷時において、インク切れ、印刷位置ずれ、メディア間違い、ケーブルの引き抜き等の理由で印刷が失敗し、所望のレーベル印刷ができない場合がある。
【００１１】
また、上述のように印刷が失敗したＤＶＤに既に著作権保護用の制限情報が書き込まれていた場合には、上記制限情報によりデータのコピーや移動など操作の自由度が制限されているため、ユーザが他のＤＶＤに対して印刷を再度行い、適切に印刷がなされたＤＶＤに対して再度同じ番組の記録を行うことができなくなることが予想される。つまり、一旦コピーデータをＤＶＤ等に記録した後に、そのＤＶＤに対する印刷が失敗してしまった場合には、適切な印刷が行われたＤＶＤを作成しようとしても、データのコピー自体が出来ない不便が生じることがある。
【００１２】
本発明は、上記課題に鑑みてなされ、その目的は、録画番組等を記録メディアに記録する前に、記録メディアのレーベル印刷をユーザに意識させることができ、記録メディアに対する録画番組の記録及びレーベル印刷を適切且つ確実に行うことができる技術を実現することである。
【課題を解決するための手段】
【００１３】
上記課題を解決し、目的を達成するために、本発明の記録装置は、マルチメディアデータを記録メディアに記録する記録手段と、前記記録メディアへのマルチメディアデータの記録を開始する前に、前記記録メディアの印刷面への印刷に関わる表示画面を表示装置に表示させる表示制御手段と、を有する。
【００１４】
また、本発明は、マルチメディアデータを記録メディアに記録する記録装置の制御方法であって、前記記録メディアへのマルチメディアデータの記録を開始する前に、前記記録メディアの印刷面への印刷に関わる表示画面を表示装置に表示させる表示制御工程を有する。
【発明の効果】
【００１５】
本発明によれば、録画番組等を記録メディアに記録する前に、記録メディアの印刷面への印刷に関わる表示画面を表示装置に表示させることで、メディアへの記録前に印刷面への印刷をユーザに意識させることが出来る。そして、適切に印刷がなされた記録メディアに対して、録画番組（マルチメディアデータ）を記録させることに大変役立つ。
【発明を実施するための最良の形態】
【００１６】
以下に、添付図面を参照して本発明を実施するための最良の形態について詳細に説明する。
【００１７】
尚、以下に説明する実施の形態は、本発明の実現手段としての一例であり、本発明が適用される装置の構成や各種条件によって適宜修正又は変更されるべきものであり、本発明は以下の実施形態に限定されるものではない。
【００１８】
［システム構成］
図１は、本発明に係る実施形態のレーベル印刷システムの構成を示すブロック図である。
【００１９】
図１において、本実施形態のレーベル印刷システム１は、放送局８から配信されるデジタル放送番組等のマルチメディアデータの録画、再生、記録、レーベル印刷を行う録画再生装置２と、この録画再生装置２と通信可能に接続されたプリンタ４とを備える。
【００２０】
録画再生装置２は、その動作中に種々の演算を行う演算部１２と、放送局８から配信される放送番組９や放送局８に送信する番組情報１０、プリンタ４に送信する印刷情報６等を一時的に保持する揮発性メモリや種々のプログラムを格納する不揮発性メモリを含む半導体メモリ（以下、メモリ）１４と、ユーザからの指示を受け付ける入力部１８と、電源や動作状態を通知したり、外部に接続されたモニタ３に録画番組（マルチメディアデータ）を再生したり、ユーザインタフェース（ＵＩ）画面を表示する表示部２０と、放送番組９を受信するチューナ部２２と、放送番組９をハードディスク１６に保存する保存部２１と、印刷指示コマンドや印刷情報６をプリンタ４に送信する通信部２４と、放送番組９をＤＶＤ等の記録メディアに書き込むメディアドライブ２６と、を備える。
【００２１】
図２は、ハードディスク１６若しくはメモリ１４に保存される情報を例示している。
【００２２】
ハードディスク１６若しくはメモリ１４内の不揮発性メモリ領域には、放送番組９に対応する番組情報１０を収集し放送番組ＩＤ４４と著作権保護情報等を含む番組情報４６を記憶する番組情報記憶部４２と、レーベル印刷用に放送番組ＩＤ５２、番組情報５３、レーベル印刷情報５４、警告履歴５５を格納するレーベル印刷管理用テーブル５０を作成するレーベル印刷用テーブル作成プログラム５８と、レーベル印刷用の印刷情報を作成するＤＶＤレーベル印刷プログラム６２と、が格納されている。ＤＶＤレーベル印刷プログラム６２は、放送番組９のレーベル印刷情報５４を放送番組本体やサムネイル画像等から作成し、通信部２４を介してプリンタ４に送信しＤＶＤの印刷用ラベル面にレーベル印刷を行う。印刷面に印刷される情報は、番組（マルチメディアデータ）の日時に関する情報、マルチメディアデータから抽出した画像、タイトルのいずれかを含むことが、番組の内容把握の為に好ましい。
【００２３】
メディアドライブ２６は、ＤＶＤ作成プログラム６０によって指定された放送番組９をハードディスク１６から記録メディアに書き込む。
【００２４】
記録メディアは、ＤＶＤ等の光ディスクである。また、本実施形態の印刷システム１は、BlueRayDisk, HDDVD, DVD-Video等のＤＶＤ規格を満たしている。
【００２５】
本実施形態の印刷システム１において、番組情報４６は、放送番組９に対応して配信される電子番組表に含まれる情報である。
【００２６】
図３はレーベル印刷管理用テーブル５０の内容を例示している。
【００２７】
放送番組ＩＤ５２に関連付けて、番組情報５３、レーベル印刷情報５４、警告履歴５５が保存されている。ここで番組情報５３中には著作権保護の観点から複数回のメディアへの記録が禁止されているか否かを表わす制限情報(Copy Once)を含む。そして、レーベル印刷情報５４は各放送番組のレーベル印刷が既に行われたか否かを表わす情報を含む。また、警告履歴５５は各放送番組のメディアへの記録の前に、後述するレーベル印刷に関わる警告を行ったか否かを表わす情報を含む。
【００２８】
以下に、本実施形態の印刷システムによるレーベル印刷時の警告処理について詳細に説明する。尚、以下に説明するフローは、図２及び図３に示す各種情報及びプログラムに従って録画再生装置２により実行される。
【００２９】
［第１の実施形態］
図４は第１の実施形態のレーベル印刷時の警告処理を示すフローチャートである。
【００３０】
本実施形態では録画番組（マルチメディアデータ）を記録メディアに記録する前に、ユーザに対してレーベル印刷を促す警告、即ち「メディアへの記録前にレーベル印刷を行うべき」旨の警告を行う。
【００３１】
図４中のＳ１００１、Ｓ１１０１、Ｓ１１０２、Ｓ１２０１、Ｓ１３０１、Ｓ１３０９、Ｓ１４０１は、それぞれ図１０で述べたＳ７００１、Ｓ７１０１、Ｓ７１０２、Ｓ７２０１、Ｓ７３０１、Ｓ７３０９、Ｓ７４０１と同じ動作なので説明を省略する。
【００３２】
図４のＳ１００１で「３：記録」が選択された場合、記録モジュールが起動し（Ｓ１３０１）、「メディアへの記録前にレーベル印刷を行うべき」旨の警告を行う（Ｓ１３０６）。この警告は、記録メディアの印刷面への印刷に関わる表示画面をモニタ３に表示させることで行うこととしている。ユーザはこの警告に応じて、「続行」又は「中止」のいずれかを入力部２０を介して入力する。なお、この画面の表示は、印刷面への印刷を促す画面の他、印刷面への印刷がなされていない場合に、未印刷状態を示すような画面や、その時の印刷状態でマルチメディアデータの記録を実行させる事を確認する画面でも良い。
また、印刷面への印刷が完了していることが判明している場合にマルチメディアデータの記録を実行させるための画面や、印刷が完了していることを単純に示す画面でも良い。
いずれの画面であっても、メディアへの記録前に印刷面への印刷をユーザに意識させることが出来、適切に印刷がなされた記録メディアに対して、録画番組（マルチメディアデータ）を記録させることに大変役立つ。
【００３３】
次に、Ｓ１３０８では、入力部２０から入力された操作が「続行」であるか「中止」であるか判定する。そして、ユーザにより「続行」が選択された場合には、記録メディアへの記録を行い（Ｓ１３０９）、終了するとＳ１００１に戻る。
【００３４】
また、ユーザにより「中止」が選択された場合には、記録処理を行わずにＳ１００１へと戻る。
【００３５】
上記実施形態によれば、録画番組等のマルチメディアデータを記録メディアに記録する前に、記録メディアのレーベル印刷に関わる警告を行うことで、レーベル印刷ができなくなる状況を回避し得る。その結果、記録メディアに対する録画番組の記録及びレーベル印刷を適切且つ確実に行うことができる。
【００３６】
［第１の実施形態の変形例］
図５は第１の実施形態の変形例のレーベル印刷時の警告処理を示すフローチャートである。
【００３７】
本変形例では「レーベル印刷可能状態」にのみ「警告」を行う。即ち、プリンタ未接続時等のレーベル印刷が不可能な状態である場合に、レーベル印刷を促す警告しないようにしている。これは、ＤＶＤに手書きで題名等を記入する等して、特にＤＶＤの仕上がりには拘らないユーザもいるので、このようなユーザに対して警告は不要と考えられるからである。
【００３８】
図５中のＳ２００１、Ｓ２１０１、Ｓ２１０２、Ｓ２２０１、Ｓ２３０１、Ｓ２３０６、Ｓ２３０８は、それぞれ図１０で述べたＳ７００１、Ｓ７１０１、Ｓ７１０２、Ｓ７２０１、Ｓ７３０１、Ｓ７３０９、Ｓ７４０１と同じ動作を行う。また、図５中のＳ２３０９、Ｓ２４０１は、図４で述べたＳ１３０６、Ｓ１３０８と同じ動作を行う。よって、これらの説明は省略する。
【００３９】
図５のＳ２００１で「３：記録」が選択された場合、記録モジュールが起動し（Ｓ２３０１）、録画再生装置２が通信部２４を介してプリンタ４と接続された印刷可能状態であるか否か判定する（Ｓ２３０２）。そして、印刷可能状態ではない場合には警告を行わずにＳ２３０９へと進み、印刷可能状態である場合にはＳ２３０６へと進み、警告を行う。
【００４０】
上記変形例によれば、「レーベル印刷可能状態」にのみ「警告」を行うことで、記録メディアに対する録画番組の記録及びレーベル印刷を適切且つ確実に行いつつ、無用な警告の発生回数を低減することができる。
【００４１】
尚、図中のＳ２３０２での「印刷可能状態」の判定では、「プリンタ４が印刷可能状態であるか否か」、「今までにプリンタ４を用いてレーベル印刷を行ったことが有るか否か」、「今までにプリンタ４が接続されたことが有るか否か」等の情報を用いてもよい。
【００４２】
［第２の実施形態］
図６は第２の実施形態のレーベル印刷時の警告処理を示すフローチャートである。
【００４３】
本実施形態では「録画番組が記録メディアへの複数回の記録が禁止されている」場合に「警告」を行う。これは、放送番組の記録が制限されていない場合には、レーベル印刷を失敗した場合でも再度記録及びレーベル印刷が行えるので、特に警告を出す必要がないと考えられるからである。
【００４４】
図６中のＳ３００１、Ｓ３１０１、Ｓ３１０２、Ｓ３２０１、Ｓ３３０１、Ｓ３３０９、Ｓ３４０１は、それぞれ図１０で述べたＳ７００１、Ｓ７１０１、Ｓ７１０２、Ｓ７２０１、Ｓ７３０１、Ｓ７３０９、Ｓ７４０１と同じ動作を行う。また、図６中のＳ３３０２、Ｓ３３０６、Ｓ３３０８は、それぞれ図５で述べたＳ２３０２、Ｓ２３０６、Ｓ２３０８と同じ動作を行う。よって、これらの説明は省略する。
【００４５】
先ず図６のＳ３１０３で、番組録画を行うと共に、録画番組に含まれる番組情報５３を保存する。
【００４６】
次に、Ｓ３００１で「３：記録」が選択された場合、記録モジュールが起動し（Ｓ３３０１）、印刷可能状態である場合には（Ｓ３３０２）、「録画番組が記録メディアへの複数回の記録が禁止されている」か否かを判定する（Ｓ３３０３）。ここでの判定は、図３のレーベル印刷管理用テーブル５０中の番組情報５３を参照して「Copy Once」であるかを判定する。そして、Ｓ３３０３で複数回の記録が禁止されている場合にはＳ３３０６へと進み、警告を行う。
【００４７】
また、Ｓ３３０９でメディアへの記録を行った後にＳ３３１０へ進み、Ｓ３３０３と同様の判定を行う。そして、Ｓ３３１０での判定がＳ３３０３と同じ結果ならば、メディアに記録した録画番組を消去し（Ｓ３３１１）する。
【００４８】
一方、Ｓ３３０３での判定の結果、複数回の記録が禁止されていない場合には警告を行わずにＳ３３０９へと進み、録画番組を消去せずにＳ３００１に戻る。
【００４９】
上記実施形態によれば、「録画番組が記録メディアへの複数回の記録が禁止されている」場合に「警告」を行うことで、記録メディアに対する録画番組の記録及びレーベル印刷を適切且つ確実に行いつつ、無用な警告の発生回数を低減することができる。
【００５０】
本実施形態では「録画番組の複数回の記録が禁止されている」場合を番組情報が「Copy Once」であるか否か、つまり１回に限りレーベル印刷が許可されている場合としたが、これに限定されることはない。つまり、２回以上であっても回数が制限されている場合や記録可能な期間が制限されている場合、録画番組自体に期間限定が設定されている場合等であっても適用できる。
【００５１】
また、回数が制限されている場合に、「最後の１回の記録時」にのみ警告を出すようにしてもよい。
【００５２】
［第３の実施形態］
図７は第３の実施形態のレーベル印刷時の警告処理を示すフローチャートである。
【００５３】
本実施形態では「レーベル印刷が未だ行われていない録画番組」に対して「警告」を行う。これは、既にレーベル印刷が行われた録画番組については再度の警告を行う必要がないと考えられるからである。
【００５４】
図７中のＳ４００１、Ｓ４１０１、Ｓ４１０２、Ｓ４２０１、Ｓ４３０１、Ｓ４３０９、Ｓ４４０１は、それぞれ図１０で述べたＳ７００１、Ｓ７１０１、Ｓ７１０２、Ｓ７２０１、Ｓ７３０１、Ｓ７３０９、Ｓ７４０１と同じ動作を行う。また、図７中のＳ４１０３、Ｓ４３０２、Ｓ４３０３、Ｓ４３０６、Ｓ４３０８、Ｓ４３１０、Ｓ４３１１は、それぞれ図６で述べたＳ３１０３、Ｓ３３０２、Ｓ３３０３、Ｓ３３０６、Ｓ３３０８、Ｓ３３１０、Ｓ３３１１と同じ動作を行う。よって、これらの説明は省略する。
【００５５】
先ず図７のＳ４１０４で、番組録画を行うと共に、レーベル印刷が未だ行われていないので、図３のレーベル印刷管理用テーブル５０中のレーベル印刷情報５４に「未」が保存される。
【００５６】
次に、Ｓ４００１で「３：記録」が選択された場合、記録モジュールが起動し（Ｓ４３０１）、印刷可能な場合（Ｓ４３０２）及び複数回の記録が禁止されている場合（Ｓ４３０３）には、レーベル印刷が未だ行われていない録画番組であるか否かを判定する。具体的にはレーベル印刷管理用テーブル５０中のレーベル印刷情報５４が「未」になっているか否かを判定する。そして、Ｓ４３０４でレーベル印刷情報が「未」である場合にはＳ４３０６へと進み、警告を行う。
【００５７】
また、Ｓ４３０４でレーベル印刷情報が「済」である場合には、警告を行わずにＳ４３０９へ進む。
【００５８】
更に、Ｓ４００１で「４：レーベル印刷」が選択された場合、印刷モジュールが起動し（Ｓ４４０１）、レーベル印刷が終了した後、レーベル印刷が済んだ録画番組のレーベル印刷管理用テーブル５０中のレーベル印刷情報５４として「済」が保存される。これにより、以後レーベル印刷情報「済」の録画番組を記録する際には、Ｓ４３０４での判定が「ＮＯ」となるため、警告を行わずにメディアへの記録が行われる（Ｓ４３０９）。
【００５９】
ここで、レーベル印刷の有無にかかわらず「警告」を行う場合には、ユーザが「３：記録」を選択する度に「警告」されることになるので、利便性が損なわれる上、「ちゃんとレーベル印刷したのにまだ警告が出る」とユーザを混乱させることにもなりかねない。
【００６０】
これに対して、上記実施形態によれば、「レーベル印刷が未だ行われていない録画番組」に対して「警告」を行うことで、記録メディアに対する録画番組の記録及びレーベル印刷を適切且つ確実に行いつつ、無用な警告の発生回数を低減することができる。
【００６１】
なお、図７の説明では第１及び第２の各実施形態及び変形例を組み合わせた形態での処理としたが、これに限定されず、例えば、Ｓ４３０２、Ｓ４３０３、Ｓ４３１０、Ｓ４３１１を省略してもよい。
【００６２】
［第３の実施形態の変形例１］
図８は第３の実施形態の変形例１のレーベル印刷時の警告処理を示すフローチャートである。
【００６３】
本変形例では「レーベル印刷が正常終了していない録画番組」に対して「警告」を行う。
これは、レーベル印刷の実行時にインク切れ、ケーブルの引き抜き等の理由で印刷が失敗した場合には、レーベル印刷が完了しておらず、その録画番組の記録メディアが完成していない状況であるので、警告は継続して行うほうが好ましいと考えられるからである。
【００６４】
図８中のＳ５４０２以外の処理は、図７と同様であるので説明を省略する。
【００６５】
さて、Ｓ５００１で「４：レーベル印刷」が選択された場合、印刷モジュールが起動し（Ｓ５４０１）、レーベル印刷が正常終了したか否かを判定する（Ｓ５４０２）。具体的には、通信部２４を介してプリンタ４と通信し、エラーが発生せずに印刷ジョブが終了したか否かを判定する。
【００６６】
そして、レーベル印刷が正常終了した場合、レーベル印刷が済んだ録画番組のレーベル印刷管理用テーブル５０中のレーベル印刷情報５４として「済」が保存される（Ｓ５４０３）。これにより、レーベル印刷が正常終了するまでは、Ｓ５３０４での判定が「ＹＥＳ」となるため、メディアへの記録の前に警告が行われる（Ｓ５３０６）。
【００６７】
上記変形例によれば、「レーベル印刷が正常終了していない録画番組」に対して「警告」を行うことで、記録メディアに対するレーベル印刷を確実に行いつつ、無用な警告の発生回数を低減することができる。
【００６８】
なお、本変形例では、Ｓ５４０２でレーベル印刷が正常終了したか否かの判定をプリンタ４との通信によって行ったが、これに限定されることはない。例えば、モニタ３や表示部２０等に「レーベル印刷が正常終了したか否か」若しくは「レーベル印刷が満足のいくできであるか」等の確認のメッセージを表示し、ユーザが入力部１８を介して直接入力する形態でも良い。これによると、プリンタ４との接続が検出できないような不具合、例えば印刷位置ずれや突発的なインクの吐出不良、メディア上に付着したゴミによる印刷不良等がユーザの目視等で検出可能である。
【００６９】
また、図８では第１及び第２の各実施形態及び変形例と組み合わせた形態での処理としたが、これに限定されず、例えば、Ｓ５３０２、Ｓ５３０３、Ｓ５３１０、Ｓ５３１１を省略してもよい。
【００７０】
［第３の実施形態の変形例２］
本変形例は、「警告」の結果、ユーザが記録の「中止」を選択した場合に、当該録画番組の「４：印刷」及び「３：記録」の順で処理を行えるようにした例である。
【００７１】
「中止」を選択したユーザは「適切にレーベルが印刷された記録メディアに録画番組を保存したい」と考えるはずである。しかし、レーベル印刷のために改めて同じ録画番組を選択し、更にレーベル印刷終了後に再び「３：記録」を選択して同じ録画番組を選択する手順を行うのは利便性に欠け、ユーザの操作ミス等で異なる録画番組のレーベル印刷や記録を行ってしまう可能性もある。つまり、記録メディアに対する録画番組の記録及びレーベル印刷を適切且つ確実に行うことができない場合が考えられる。そこで、本変形例はこ記のような不都合を低減するものである。
【００７２】
先ず、Ｓ５３０８で「中止」が選択され、Ｓ５００１へ戻るまでは図７及び図８と同様である。
【００７３】
次に、Ｓ５００１でユーザによる動作の選択なしに自動的に「４：印刷」が選択されてＳ５４０１に進み、ユーザに対して記録を中止した録画番組のレーベル印刷を促す。Ｓ５４０２でレーベル印刷が正常終了するとＳ５４０３へと進み、レーベル印刷情報「済」を保存した後、Ｓ５００１へと戻る。
【００７４】
続いて、Ｓ５００１でユーザによる動作の選択なしに自動的に「３：記録」が選択されてＳ５３０１〜Ｓ５３０４へと進み、Ｓ５３０４での判定がＮＯとなるので、Ｓ５３０９へと進んでメディアへの記録を行う。
【００７５】
上記実施形態によれば、「警告」の結果、ユーザが記録の「中止」を選択した場合に、当該録画番組の「４：印刷」及び「３：記録」の順で処理を行えるようにしたことで、ユーザの操作ミス等で異なる録画番組のレーベル印刷や記録を行う等の不都合を低減する。そして、「中止」後の記録メディアに対する録画番組の記録及びレーベル印刷を簡単な操作で行うことができる。
【００７６】
なお、図８では第１及び第２の各実施形態及び変形例と組み合わせた形態での処理としたが、これに限定されず、例えば、Ｓ５３０２、Ｓ５３０３、Ｓ５３１０、Ｓ５３１１を省略してもよい。
【００７７】
また、２回警告が出るという点でユーザの混乱を生じる可能性は有るものの、ユーザの操作ミスを低減する効果があるので、Ｓ５１０４、Ｓ５３０４、Ｓ５４０２、Ｓ５４０３を省略することもできる。
【００７８】
［第４の実施形態］
図１０は第４の実施形態のレーベル印刷時の警告処理を示すフローチャートである。
【００７９】
本実施形態では「警告が未だ行われていない録画番組」に対して「警告」を行う。これは、１度警告を行った録画番組については、ユーザは既に警告を受けているので再度の警告は必要ないと考えられるからである。
【００８０】
図９中のＳ６１０５、Ｓ６３０５、Ｓ６３０７以外の処理は、図８と同様であるので説明を省略する。
【００８１】
先ず図９のＳ６１０５で、番組録画を行うと共に、録画番組の警告が未だ行われていないので、図３のレーベル印刷管理用テーブル５０中の警告履歴５５に「未」が保存される。
【００８２】
次に、Ｓ６００１で「３：記録」が選択された場合、記録モジュールが起動し（Ｓ６３０１）、Ｓ６３０４でレーベル印刷情報が「未」であった場合には、当該録画番組の警告が未だ行われていない状態であるか否かを判定する。具体的には、レーベル印刷管理用テーブル５０中の警告履歴５５に「未」が保存されているか否かを判定する。
【００８３】
そして、Ｓ６３０５で警告が未だ行われていない状態である場合、警告を行わずにメディアへの記録が行われる（Ｓ６３０９）。
【００８４】
また、Ｓ６３０５で警告が既に行われていた場合、警告を行った後、レーベル印刷管理用テーブル５０中の警告履歴５５に「済」が保存される（Ｓ６３０７）。これにより、録画番組の記録の前に警告が行われるまでは、Ｓ６３０５での判定が「ＹＥＳ」となるため警告が行われる（Ｓ６３０６）。
【００８５】
上記実施形態によれば、「警告が未だ行われていない録画番組」に対して「警告」を行うことで、記録メディアに対する録画番組の記録及びレーベル印刷を適切且つ確実に行いつつ、無用な警告の発生回数を低減することができる。
【００８６】
なお、図９の説明では第１乃至第３の各実施形態及び変形例を組み合わせた形態での処理としたが、これに限定されず、例えば、Ｓ６１０４、Ｓ６３０２、Ｓ６３０３、Ｓ６３１０、Ｓ６３１１、Ｓ６４０２、Ｓ６４０３を省略してもよい。
【００８７】
また、上記実施形態及び変形例に示された手法は、それぞれ単独に用いられても、また他の実施形態及びその変形例と組み合わせて用いられても良いことは言うまでもない。
【００８８】
また、状況に応じて、例えばプリンタがレーベル印刷可能である否か、記録メディアがレーベル印刷可能であるか否か等に応じて適宜切り替えて用いても良い。また、警告の内容も直接的に「レーベル印刷を行うべき」である必要はなく、「レーベル印刷を行わなかった場合」に「レーベル印刷が不可能となる状況」をユーザに認知、記憶、再認識させることが可能であればよい。
【００８９】
また、本実施形態ではＤＶＤ以外の記録メディアとして、ＤＶＤの次世代、次次世代のメディアや旧世代のＣＤ等の、レーベル印刷可能なメディアであればよい。
【００９０】
また、本実施形態では、プリンタ４としてインクジェットプリンタを想定しているが、昇華型プリンタやレーザプリンタであっても同様に適用できる。
【００９１】
また、本実施形態では、放送局８と録画再生装置２との間で伝達される放送番組９としたが、放送番組９に限定される必要はなく、インターネット等からダウンロードされた「複数回の記録が禁止されている」デジタルコンテンツ等でも同様に適用できる。
【００９２】
また、放送番組９は動画に限定される必要はなく、静止画や音楽に代表される音声データであってもよい。
【００９３】
また、第１の実施形態の変形例ではＳ２３０２で印刷可能状態でなかった場合に警告を行わずにＳ２３０９へと進んだが、これは警告と同時に「続行」を選択する操作をスキップして手続を単純化しているからである。しかしながら、必ずしもこの流れに限ることはなく、Ｓ２３０８へ進んで「続行」か否かをユーザが選択するようにしても、第１の実施形態の変形例の主目的である無用な警告の発生回数を低減することができる。
【００９４】
これは、第２の実施形態のＳ３３０２、Ｓ３３０３、第３の実施形態のＳ４３０２〜Ｓ４３０４、第３の実施形態の変形例１及び２のＳ５３０２〜Ｓ５３０４、第４の実施形態のＳ６３０２〜Ｓ６３０５についても同様である。
【００９５】
［他の実施形態］
本発明は、前述した実施形態の機能を実現するコンピュータプログラムを、システムあるいは装置に直接あるいは遠隔から供給することによって達成される場合も含む。その場合、システム等のコンピュータが該コンピュータプログラムを読み出して実行することになる。
【００９６】
従って、本発明の機能処理をコンピュータで実現するために、該コンピュータにインストールされるコンピュータプログラム自体も本発明を実現するものである。
【００９７】
その場合、プログラムの機能を有していれば、オブジェクトコード、インタプリタにより実行されるプログラム、ＯＳに供給するスクリプトデータ等の形態であっても良い。
【００９８】
プログラムを供給するための記録媒体（記憶媒体）としては、例えば、フレキシブルディスク、ハードディスク、光ディスク、光磁気ディスク等がある。その他にも、MO、CD-ROM、CD-R、CD-RW、磁気テープ、不揮発性のメモリカード、ROM、DVD(DVD-ROM、DVD-R)等がある。
【００９９】
その他、プログラムの供給方法としては、クライアントコンピュータのブラウザを用いてインターネットのホームページに接続し、該ホームページから本発明のコンピュータプログラムそのものをダウンロードすることもできる。また圧縮され自動インストール機能を含むファイルをハードディスク等の記録媒体にダウンロードすることによっても供給できる。また、本発明のプログラムを構成するコンピュータプログラムを複数のファイルに分割し、それぞれのファイルを異なるホームページからダウンロードすることによっても実現可能である。つまり、本発明の機能処理をコンピュータで実現するためのプログラムファイルを複数のユーザに対してダウンロードさせるWWWサーバも、本発明に含まれるものである。
【０１００】
また、本発明のプログラムを暗号化してCD-ROM等の記憶媒体に格納してユーザに配布し、所定の条件をクリアしたユーザが、インターネットを介してホームページから暗号化を解く鍵情報をダウンロードすることもできる。この場合、ダウンロードした鍵情報を使用することにより暗号化されたプログラムを実行してコンピュータにインストールさせて実現する。
【０１０１】
また、コンピュータが、読み出したプログラムを実行することによって、前述した実施形態の機能が実現される他、そのプログラムの指示に基づき、コンピュータ上で稼動しているＯＳ等が、実際の処理の一部又は全部を行うことによっても実現され得る。
【０１０２】
更に、記録媒体から読み出されたプログラムが、コンピュータに挿入された機能拡張ボードやコンピュータに接続された機能拡張ユニットのメモリに書き込まれた後、該ボード等のＣＰＵ等が実際の処理の一部又は全部を行うことによっても実現される。
【図面の簡単な説明】
【０１０３】
【図１】本発明に係る実施形態のレーベル印刷システムの構成を示すブロック図である。
【図２】ハードディスク若しくはメモリに保存される情報を例示する図である。
【図３】レーベル印刷管理用テーブルの内容を例示する図である。
【図４】第１の実施形態のレーベル印刷時の警告処理を示すフローチャートである。
【図５】第１の実施形態の変形例のレーベル印刷時の警告処理を示すフローチャートである。
【図６】第２の実施形態のレーベル印刷時の警告処理を示すフローチャートである。
【図７】第３の実施形態のレーベル印刷時の警告処理を示すフローチャートである。
【図８】第３の実施形態の変形例１のレーベル印刷時の警告処理を示すフローチャートである。
【図９】第４の実施形態のレーベル印刷時の警告処理を示すフローチャートである。
【図１０】従来のシステムによる録画・再生・保存・レーベル印刷処理を示すフローチャートである。
【符号の説明】
【０１０４】
１  レーベル印刷システム
２  録画再生装置
３  モニタ
４  プリンタ
８  放送局
１２  演算部
１４  半導体メモリ
１６  ハードディスク
１８  入力部
２０  表示部
２１  保存部
２２  チューナ部
２４  通信部
２６  メディアドライブ
【図１】
2008010043.tif 000003
【図２】
2008010043.tif 000004
【図３】
2008010043.tif 000005
【図４】
2008010043.tif 000006
【図５】
2008010043.tif 000007
【図６】
2008010043.tif 000008
【図７】
2008010043.tif 000009
【図８】
2008010043.tif 000010
【図９】
2008010043.tif 000011
【図１０】
2008010043.tif 000012